(57)【要約】      （修正有）【課題】  簡単な操作で安定したかしめ品質を得ることのできるかしめ方法およびかしめ治具を提供する。【解決手段】  かしめ方法は、かしめ片Ｆを脚部ＦＡの側端縁に対して傾斜した傾斜線を折曲線ＩＬとして折り曲げることにより爪部ＦＢの固定対象物側の端縁を固定対象物に圧接する。かしめ治具では、かしめ片Ｆが挿入される挿入溝９の深さを爪部ＦＢの幅より浅く形成し、挿入溝９の長さＬを爪部ＦＢの長さＦＬより長く形成する。【選択図】図５
2006181616.tif 000002
【特許請求の範囲】
【請求項１】
金属により形成された固定体に固定対象物を固定するために、前記固定体の固定対象物側の端縁から起立形成された脚部と当該脚部の側端縁から延出形成された爪部とにより形成されたかしめ片を折り曲げてかしめるかしめ方法において、
前記かしめ片を前記脚部の側端縁に対して傾斜した傾斜線を折曲線として折り曲げることにより前記爪部の固定対象物側の端縁を前記固定対象物に圧接することを特徴とするかしめ方法。
【請求項２】
前記傾斜線の角度が、３０度から６０度の範囲である請求項１に記載のかしめ方法。
【請求項３】
前記傾斜線が、前記爪部の固定対象物側の端縁の基端部と、前記脚部の先端とを結ぶように形成されている請求項１または２に記載のかしめ方法。
【請求項４】
金属により形成された固定体に固定対象物を固定するために、前記固定体の固定対象物側の端縁から起立形成された脚部と当該脚部の側端縁から延出形成された爪部とにより形成されたかしめ片を折り曲げてかしめるかしめ治具において、
前記かしめ片を折り曲げるための折曲本体を有し、
前記折曲本体が、軸部と、当該軸部の少なくとも一端に設けられたかしめ部とを有しており、
前記かしめ部が、前記かしめ片が挿入される断面縦長矩形状の挿入溝と、前記挿入溝の一端に設けられ前記爪部の先端が当接される位置決め部とを有しており、
前記挿入溝の深さが前記爪部の幅より浅く形成されているとともに、前記挿入溝の長さが前記爪部の長さより長く形成されていることを特徴とするかしめ治具。
載のかしめ治具。
【請求項５】
前記かしめ片の爪部の先端が前記位置決め部に当接するように前記挿入溝に前記かしめ片を挿入した場合、前記かしめ片の爪部の固定対象物側の端縁の基端部と前記挿入溝の開口側の端縁とを結ぶ線が前記脚部の側端縁に対して３０度から６０度の範囲の角度をなすように、前記挿入溝の深さおよび長さが形成されている請求項４に記載のかしめ治具。
【請求項６】
前記かしめ部が、前記軸部の両端にそれぞれ設けられており、一方のかしめ部が前記軸部の一方の回転方向に対応可能に形成され、他方のかしめ部が前記軸部の他方の回転方向に対応可能に形成されている請求項４または５に記載のかしめ治具。
【発明の詳細な説明】
【技術分野】
【０００１】
金属により形成された固定体に固定対象物を固定するために、固定体の固定対象物側の端縁に形成されているかしめ片を折り曲げてかしめるのに好適なかしめ方法およびかしめ治具に関する。
【背景技術】
【０００２】
従来から、金属により形成された固定体に倒立Ｌ字状のかしめ片を形成し、このかしめ片を折り曲げる（捻る）ことによって、固定体に固定対象物を固定するかしめ方法が知られている。
【０００３】
例えば、従来の液晶表示装置は、液晶表示パネルの裏面側（反観察面側）にパネルホルダが装着される。このパネルホルダには、液晶表示パネルに例えばＣＯＦなどのフレキシブル基板を介して接続された液晶駆動用の制御回路基板が取り付けられ、また、液晶表示パネルが半透過型もしくは透過型の場合には、そのバックライトもパネルホルダに組み込まれる。このバックライトは液晶表示パネルとパネルホルダとの間に配置され、これに対して、制御回路基板はパネルホルダの裏面側に両面接着テープなどの固定手段を介して取り付けられる。
【０００４】
前記パネルホルダをベースとして液晶表示パネルおよびその周辺部品を組み立ててなる固定対象物としてのパネル組立体は、４辺に側枠を有する固定体としての外装ケース内に収納される。このような外装ケースの後面側の開口端縁には、パネル組立体を固定するための複数のかしめ片が一体に形成されており、外装ケース内にパネル組立体を収納した後、各かしめ片をかしめることでパネルホルダの背面を押さえ付けることにより、外装ケースにパネル組立体が固定されるようになっている（例えば、特許文献１参照）。
【０００５】
図８は従来のかしめを説明する説明図であり、金属により形成され固定体ＢＡには、固定体ＢＡに固定対象物ＳＡを固定するためのかしめ片Ｆが形成されている。このかしめ片Ｆは、固定体ＢＡの固定対象物側の端縁からほぼ垂直に起立するように延出形成された脚部ＦＡと、脚部ＦＡの側端縁から延出形成された爪部ＦＢとにより倒立Ｌ字状に形成されている。このかしめ片Ｆは、通常、固定体ＢＡに複数設けられている。また、かしめ片Ｆとしては、図８に示すように、脚部ＦＡの右側端縁に爪部ＦＢが形成されたものと、脚部ＦＡの左側端縁に爪部ＦＢが形成されたものとがある。
【０００６】
そして、固定体ＢＡに固定対象物ＳＡを固定するには、作業者が市販されているラジオペンチなどの汎用工具で爪部ＦＢを挟持し、この状態で爪部ＦＢを図８の矢印Ａにて示す水平方向に折り曲げて爪部ＦＢを脚部ＦＡの側端縁に沿った垂直線を折曲線ＶＬとして図８の破線にて示すように、爪部ＦＢを水平方向に折り曲げることで平面ほぼくの字状に塑性変形した後、続いて爪部ＦＢを図８の矢印Ｂにて示す下側に押し下げることにより、爪部ＦＢの固定対象物側の端縁を固定対象物ＳＡに圧接するかしめ方法が用いられている。
【０００７】
【特許文献１】特開２００４−３０２２１２号公報
【発明の開示】
【発明が解決しようとする課題】
【０００８】
しかしながら、従来のかしめ方法においては、作業者がかしめ片Ｆの折曲動作と、それに続く押し下げ動作との２つの動作を行わなければならず、多大な時間と労力とを必要とするという問題点があった。
【０００９】
また、従来のかしめ方法においては、安定したかしめ品質を得ることができないという問題点もあった。
【００１０】
すなわち、かしめ片Ｆの折曲角度および押し下げ量を安定させるには、作業者の熟練が必要で有り、また、作業者によって異なるかしめ片Ｆの折曲角度および押し下げ量を均一にするのは困難である。なお、かしめ片Ｆの折曲角度および押し下げ量のバラツキが大きいと、外観品質も低下する。
【００１１】
そこで、簡単な操作で安定したかしめ品質を得ることのできるかしめ方法およびかしめ治具が求められている。
【００１２】
本発明はこのような点に鑑みてなされたものであり、簡単な操作で安定したかしめ品質を得ることのできるかしめ方法およびかしめ治具を提供することを目的とする。
【課題を解決するための手段】
【００１３】
前述した目的を達成するため、本発明に係るかしめ方法の特徴は、金属により形成された固定体に固定対象物を固定するために、前記固定体の固定対象物側の端縁から起立形成された脚部と当該脚部の側端縁から延出形成された爪部とにより形成されたかしめ片を折り曲げてかしめるかしめ方法において、前記かしめ片を前記脚部の側端縁に対して傾斜した傾斜線を折曲線として折り曲げることにより前記爪部の固定対象物側の端縁を前記固定対象物に圧接する点にある。
【００１４】
本発明に係るかしめ方法においては、前記傾斜線の角度が、３０度から６０度の範囲であることが好ましく、また、前記傾斜線が、前記爪部の固定対象物側の端縁の基端部と、前記脚部の先端とを結ぶように形成されていることが好ましい。
【００１５】
本発明に係るかしめ治具の特徴は、金属により形成された固定体に固定対象物を固定するために、前記固定体の固定対象物側の端縁から起立形成された脚部と当該脚部の側端縁から延出形成された爪部とにより形成されたかしめ片を折り曲げてかしめるかしめ治具において、前記かしめ片を折り曲げるための折曲本体を有し、前記折曲本体が、軸部と、当該軸部の少なくとも一端に設けられたかしめ部とを有しており、前記かしめ部が、前記かしめ片が挿入される断面縦長矩形状の挿入溝と、前記挿入溝の一端に設けられ前記爪部の先端が当接される位置決め部とを有しており、前記挿入溝の深さが前記爪部の幅より浅く形成されているとともに、前記挿入溝の長さが前記爪部の長さより長く形成されている点にある。
【００１６】
本発明に係るかしめ治具においては、前記かしめ片の爪部の先端が前記位置決め部に当接するように前記挿入溝に前記かしめ片を挿入した場合、前記かしめ片の爪部の固定対象物側の端縁の基端部と前記挿入溝の開口側の端縁とを結ぶ線が前記脚部の側端縁に対して３０度から６０度の範囲の角度をなすように、前記挿入溝の深さおよび長さが形成されていることが好ましい。
【００１７】
また、前記かしめ部が、前記軸部の両端にそれぞれ設けられており、一方のかしめ部が前記軸部の一方の回転方向に対応可能に形成され、他方のかしめ部が前記軸部の他方の回転方向に対応可能に形成されていることが好ましい。
【発明の効果】
【００１８】
本発明に係るかしめ方法によれば、かしめ片を脚部の側端縁に対して傾斜した傾斜線を折曲線として折り曲げるという簡単な操作によって爪部の固定対象物側の端縁を固定対象物に圧接することができるので、簡単な操作で安定したかしめ品質を得ることができるなどの極めて優れた効果を奏する。また、本発明に係るかしめ治具によれば、本発明に係るかしめ方法を確実かつ容易に実施することができるなどの極めて優れた効果を奏する。
【発明を実施するための最良の形態】
【００１９】
以下、本発明を図面に示す実施形態により説明する。なお、固定体に固定対象物を固定するかしめ片については、従来と同様とされているので、固定体、かしめ片、固定対象物の構成については図面中に同一の符号を付しその詳しい説明は省略する。
【００２０】
図１から図４は本発明に係るかしめ方法に用いるかしめ治具の実施形態を示すものであり、図１は全体構成の要部を簡略化して示す斜視図、図２は折曲本体の正面図、図３は図２の側面図、図４は図１の要部の拡大下面図である。
【００２１】
図１に示すように、本実施形態のかしめ治具１は、折曲本体２と支持台３とを有している。
【００２２】
前記折曲本体２は、かしめ片Ｆを折り曲げるためのものであり、図２から図４に示すように、図２の上下方向に長い断面矩形状に形成された軸部４を有しており、この軸部４は、金属などの剛性を有する素材により形成されている。この軸部４の図２の上下方向に示す長手方向の中央部分には、作業者の手によって把持されるグリップ５が図示しないボルトなどの固定手段によって着脱可能に取着されている。
【００２３】
前記軸部４の長手方向の両端には、それぞれかしめ部６が設けられている。これらのかしめ部６は、軸部４の中央を対称面として対称に形成されており、図２の下方に示す一方は、かしめ片Ｆをかしめる際に、軸部４の図２の上から見て時計方向への回転によるかしめに対応可能とされている。また、図２の上方に示す他方は、かしめ片Ｆをかしめる際に、軸部４を上下反転させることで、軸部４の図１の上から見て反時計方向への回転にによるかしめに対応することができるようになっている。すなわち、本実施形態の折曲本体２は、かしめ片Ｆの折り曲げ方向に応じて使い分けができるようになっている。
【００２４】
なお、折曲本体２としては、軸部４の一端にかしめ部６を設けたものであってもよい。
【００２５】
ここで、かしめ部６について、図１の下方に示すかしめ部６を例示して説明する。
【００２６】
前記かしめ部６は、軸部４の下端部の図３の右面に全体としてほぼ平板状の溝形成板７を図示しないボルトなどの固定手段によって着脱可能に取着することにより形成されている。この溝形成板７は、その下端面が軸部４の下端面と面一になるように取り付けられている。また、溝形成板７の下端の軸部４と対向する部分には、図４に示すように、左端および下端に開口を有する断面矩形状の凹部８が凹設されており、この凹部８の側壁と、この側壁に対向する軸部４の側面との間の空間により、かしめ片Ｆが挿入される断面縦長矩形状の挿入溝９が形成されている。また、溝形成板７の下端の凹部８の図４の右側に隣位する部分は、前記爪部ＦＢの先端が当接される位置決め部１０とされている。この挿入溝９にかしめ片Ｆを挿入した状態を拡大して図５および図６に示す。
【００２７】
前記挿入溝９のサイズとしては、図５および図６に示すように、深さＤが爪部ＦＢの幅ＦＷより浅く形成されているとともに、挿入溝９の長さＬが爪部ＦＢの長さＦＬより長く形成されていることが好ましい。また、かしめ片Ｆの爪部ＦＢの先端が位置決め部１０に当接するように挿入溝９にかしめ片Ｆを挿入した場合、かしめ片Ｆの爪部ＦＢの固定対象物側の端縁の基端部Ｐと挿入溝９の開口側の端縁９ａとを結ぶ線が、脚部ＦＡの側端縁に対して２０度から７０度、より好ましくは、３０度から６０度の範囲の角度θをなすように、挿入溝９の深さＤおよび長さＬが形成されていることが好ましい。角度θがこの範囲を超えるとかしめ片Ｆを折り曲げる力が多大に必要となり、作業性悪化および当接面積縮小化の傾向があり、この範囲を下回ると固定対象物ＳＡに対する圧接力が低下する傾向がある。
【００２８】
例えば、かしめ片Ｆの爪部ＦＢの長さＦＬを３ｍｍ、幅ＦＷを２ｍｍ、厚さＦＴを０．５ｍｍとした場合、挿入溝９の長さＬを４ｍｍ、深さＤを１ｍｍ、幅Ｗを０．６ｍｍとしたものを挙げることができる。この場合、かしめ片Ｆの爪部ＦＢの基端部Ｐと挿入溝９の開口側の端縁９ａとを結ぶ線の角度θは、ほぼ４５度に形成される。
【００２９】
なお、折曲本体２としては、軸部４に対して着脱可能な固定片をかしめ片Ｆの種類に応じて複数形成し、かしめ作業に供するかしめ片Ｆの種類に応じて固定片を変更するとよい。
【００３０】
また、折曲本体２としては、挿入溝９を、軸部４の下端部に直接形成する構成としてもよい。
【００３１】
さらに、軸部４の下端面と溝形成板７の下端面とを段違い、例えば、かしめ片Ｆをかしめる際に、支点側（軸部４の回転方向の内側）となる軸部４に対して、溝形成板７の下端面を挿入溝９の深さの半分程度上方に配置する構成としてもよい。
【００３２】
図１に戻って、前記支持台３は、固定体ＢＡを着脱自在に支持するためのものであり、支持台３の上面の中央部の所定の位置に固定体ＢＡを位置決めして支持することができるようになっている。また、支持台３の上面の四隅には、前記軸部４の回転角度を規制するためのストッパ１１がそれぞれ配設されている。これらのストッパ１１は、支持台３に取着あるいは一体形成された平面ほぼＬ字状の取付体１１ａと、この取付体１１ａに螺着され先端が折曲本体２の回転経路上に設けられた調整ねじ１１ｂとを有している。そして、調整ねじ１１ｂの先端は、常時は、折曲本体２から離間した位置に配置され、折曲本体２、すなわち軸部４の回転角度が、２０度から７０度、より好ましくは、３０度から６０度の範囲の角度となるように形成されている。この折曲本体２の回転角度がこの範囲を超えると固定対象物ＳＡに対する圧接力増加に伴う作業性が悪化する傾向があり、この範囲を下回ると固定対象物ＳＡに対する圧接力が低下する傾向がある。
【００３３】
なお、かしめ治具１を支持台３に取り付ける構成としてもよい。この場合、支持台３の所定の位置に軸支持部を設け、この軸支持部に、グリップ５を設けない軸部４の中央部分を回転自在かつ軸方向に沿って移動可能に支持する構成とするとよい。また、グリップ５のかわりに、軸部４の上端部に作業者が把持可能な把持部を取着するするとともに、軸部４の外周の把持部と軸支持部との間に圧縮コイルばねを装着し、圧縮コイルばねの一端を把持部に係止し、他端を軸支持部係止する構成とするとよい。これにより、折曲本体２を上下方向へ移動したり、回転したりした後の初期位置への復帰動作を圧縮コイルばねのばね力によって容易に行うことができるので、作業性を向上することができる。
【００３４】
つぎに、前述した構成からなる本実施形態の作用について本発明のかしめ方法とともに説明する。
【００３５】
本実施形態のかしめ方法は、前述した図１から図４に示す本実施形態のかしめ治具１を用いて実施する。
【００３６】
そして、本実施形態のかしめ方法は、図１に示すように、支持台３の所定位置に、固定対象物ＳＡを配置した固定体ＢＡを載置することにより実施する。
【００３７】
ついで、折曲本体２のグリップ５を把持し、折曲本体２のかしめ部６の挿入溝９をかしめ片Ｆに挿入する。この時、図５および図６に示すように、かしめ片Ｆの爪部ＦＢの先端を位置決め部１０に当接する。
【００３８】
ついで、軸部４を所定の方向に回転すると、折曲本体２によるかしめが行われる。
【００３９】
この時、かしめ片Ｆは、爪部ＦＢの基端部Ｐと挿入溝９の開口側の端縁９ａとを結ぶ線、すなわち、脚部ＦＡの側端縁に対して傾斜した傾斜線を折曲線ＩＬとして折れ曲がる。この折曲線ＩＬを傾斜線とすることで、爪部ＦＢの固定対象物側の端縁を固定対象物ＳＡに圧接することができる。つまり、かしめ片Ｆの折り曲げ時に、かしめ片Ｆの厚さ方向への変形に加えて、軸部４の長手方向に沿った変形いわゆるＺ成分を容易に加えることができる。このかしめ方法によるかしめ片Ｆの折曲状態を図７に示す。
【００４０】
すなわち、本実施形態のかしめ方法によれば、単に、軸部４を回転させることで、爪部ＦＢの固定対象物側の端縁を固定対象物ＳＡに確実に圧接することができる。
【００４１】
このように、本実施形態のかしめ方法によれば、かしめ片Ｆを前記脚部ＦＡの側端縁に対して傾斜した傾斜線を折曲線ＩＬとして折り曲げることにより爪部ＦＢの固定対象物側の端縁を固定対象物ＳＡに圧接する構成とされており、従来のかしめ片Ｆの折曲動作と、それの続く押し下げ動作との２つの動作を同時に行うことができる。その結果、作業者の負担が少ない簡単な操作で安定したかしめ品質を容易に得ることができる。
【００４２】
また、本実施形態のかしめ方法によれば、傾斜線の角度、すなわち、脚部ＦＡの側端縁に対する折曲線ＩＬの角度θが、３０度から６０度の範囲であるので、爪部ＦＢの固定対象物側の端縁による固定対象物ＳＡへ圧接する圧接力を適正に得ることができる。
【００４３】
さらに、本実施形態のかしめ方法によれば、傾斜線、すなわち、折曲線ＩＬが爪部ＦＢの固定対象物側の端縁の基端部Ｐと、脚部ＦＡの先端とを結ぶように形成されているので、爪部ＦＢの固定対象物側の端縁による固定対象物ＳＡへの圧接力をより適正かつ容易にしかも確実に得ることができ、しかも、折曲基点を常に一定にすることができるので、バラツキを少なくすることができる。その結果、かしめ品質の向上を容易に図ることができる。
【００４４】
また、本実施形態のかしめ治具１によれば、かしめ片Ｆを折り曲げるための折曲本体２を有し、折曲本体２が、軸部４と、この軸部４の少なくとも一端に設けられたかしめ部６とを有しており、かしめ部６が、かしめ片Ｆが挿入される断面縦長矩形状の挿入溝９と、この挿入溝９の一端に設けられ爪部ＦＢの先端が当接される位置決め部１０とを有しており、挿入溝９の深さＤが爪部ＦＢの幅ＦＷより浅く形成されているとともに、挿入溝９の長さＬが爪部ＦＢの長さＦＬより長く形成されているので、本発明のかしめ方法、すなわち、かしめ片Ｆを脚部ＦＡの側端縁に対して傾斜した傾斜線を折曲線ＩＬとして折り曲げることにより爪部ＦＢの固定対象物側の端縁を固定対象物ＳＡに圧接するかしめ方法を簡便な工程で容易に実施することができる。
【００４５】
つまり、本実施形態のかしめ治具１によれば、折曲本体２の軸部４を折曲本体２のかしめ部６の挿入溝９をかしめ片Ｆに挿入し、かしめ片Ｆの爪部ＦＢの先端を位置決め部１０に当接した状態で、軸部４を回転させるという簡単な操作で、爪部ＦＢの固定対象物側の端縁を固定対象物ＳＡに容易に圧接することができる。
【００４６】
さらに、本実施形態のかしめ治具１によれば、かしめ片Ｆの爪部ＦＢの先端が位置決め部１０に当接するように挿入溝９にかしめ片Ｆを挿入した場合、かしめ片Ｆの爪部ＦＢの固定対象物側の端縁の基端部Ｐと挿入溝９の開口側の端縁９ａとを結ぶ線が脚部ＦＡの側端縁に対して３０度から６０度の範囲の角度θをなすように、挿入溝９の深さＤおよび長さＬが形成されているので、折曲線ＩＬを、かしめ片Ｆの脚部ＦＡの側端縁に対して傾斜した傾斜線とすることが容易かつ確実にできる。
【００４７】
また、本実施形態のかしめ治具１によれば、かしめ部６が、軸部４の両端にそれぞれ設けられており、一方のかしめ部６が軸部４の一方の回転方向に対応可能に形成され、他方のかしめ部６が軸部４の他方の回転方向に対応可能に形成されているので、かしめ片Ｆの折り曲げ方向に応じて使い分けが容易にできる。
【００４８】
またさらに、本実施形態のかしめ治具１によれば、固定体ＢＡを着脱自在に支持する支持台３と、軸部４の回転角度を規制するストッパ１１とが設けられているので、軸部４の回転角度を容易に制御することができる。その結果、かしめ品質および外観品質を高く保持することができる。なお、軸部４の回転角度としては、２０度から７０度、より好ましくは、３０度から６０度の範囲とすることが、爪部ＦＢの固定対象物側の端縁による固定対象物ＳＡへの圧接力を適正にするうえで好ましい。
【００４９】
したがって、本実施形態のかしめ方法およびかしめ治具１によれば、簡単な操作で安定したかしめ品質を得ることができるなどの極めて優れた効果を奏する。
【００５０】
なお、本発明は、液晶表示装置をはじめ、かしめを用いた多種多様の組立製品に用いることができる。
【００５１】
また、本発明は、前述した実施形態に限定されるものではなく、必要に応じて種々の変更が可能である。
【図面の簡単な説明】
【００５２】
【図１】本発明に係るかしめ治具の実施形態の全体構成の要部を簡略化して示す斜視図
【図２】図１の折曲本体の要部を示す正面図
【図３】図２の要部の側面図
【図４】図２の要部の拡大下面図
【図５】図２の挿入溝にかしめ片を挿入した状態を拡大して示す正面図
【図６】図５の縦断面図
【図７】本発明のかしめ方法の実施形態によるかしめ片の折曲状態を折曲角度とともに説明する説明図
【図８】従来のかしめ方法を説明する説明図
【符号の説明】
【００５３】
１  かしめ治具
２  折曲本体
３  支持台
４  軸部
６  かしめ部
７  溝形成板
９  挿入溝
９ａ  端縁
１０  位置決め部
１１  ストッパ
Ｄ  （挿入溝の）深さ
Ｌ  （挿入溝の）長さ
Ｗ  （挿入溝の）幅
ＩＬ  折曲線
θ  （脚部の側端縁に対する折曲線の）角度
Ｐ  基端部
ＢＡ  固定体
ＳＡ  固定対象物
Ｆ  かしめ片
ＦＡ  脚部
ＦＢ  爪部
ＦＷ  （かしめ片の）幅
ＦＬ  （かしめ片の）長さ
ＦＴ  （かしめ片の）厚さ
【図１】
2006181616.tif 000003
【図２】
2006181616.tif 000004
【図３】
2006181616.tif 000005
【図４】
2006181616.tif 000006
【図５】
2006181616.tif 000007
【図６】
2006181616.tif 000008
【図７】
2006181616.tif 000009
【図８】
2006181616.tif 000010